(57)【要約】      （修正有）【課題】原液の流量を直接、調整する機能を混合器内に設けることである。【解決手段】二ップル部材９に勘合するフランジ部材８がシール端面を有し、前記二ップル部材に形成されたネジ９bにより、自身の回転に伴い、前記シール端面も軸方向に移動しそして、該シール端面と絞り管７の相手シール端面７aの間隔Ｃが変化する構成となっている。該間隔Ｃにより、絞り管７の外周に形成された負圧室１２の負圧の程度および間隔Ｃから中間開口部Ｂへ流入する原液の量を制御することができる。【選択図】図２
2014009671.tif 000002
【特許請求の範囲】
【請求項１】
主液のエジェクター効果により原液を吸い上げ混合し、該混合液を大気に直放出し、同心軸上に絞り部Ａおよび若干大きい開口部Bを有する二液混合器において、該絞り部に端面或いはテーハ゜状シール面を有し、フランジ部材に他の端面或いはテーハ゜状シール面を有しそして、該シール面は間隔Ｃの範囲内を二ップル部材のネジ回転で軸方向に往復動して、原液の汲み上げ流量を制御することを特徴とする二液混合器。
【発明の詳細な説明】
【技術分野】
【０００１】
本発明は、主液のエジェクター効果により原液を吸い上げて混合するもので、該混合液を大気に直接放出する二液混合器に関するものである。
【背景技術】
【０００２】
現在、実際に使われている二液混合器は、切削油と水を希釈するクーラント希釈液装置や洗剤と水を希釈する洗車ノズルがある。
一般的に、主液が水で原液は水よりも粘性大きい液体が使用される場合が多い。そのため、原液の吸い上げ量を調整する調整バルブのオリフィス径Ｄや原液側ホースの内径および長さの影響で、吸い上げ量を余り大きく取れず、高濃度の混合ができないという問題がある。
【０００３】
また、洗車やクーラントの希釈に使用されるエジェクター混合器は、特許文献１のような構成となっている。つまり、大気に導通する大開口部がなく、その代わりに中間開口部が長く伸びている例である。このような構成の混合器は、中間開口部から混合液が一気に大気に放出されるため、混合液の流速がかなり速く維持されており、その水圧の強さで車洗浄などの用途に利用されることが多い。
一方、クーラント液希釈装置の場合には、車洗洗浄と異なり、加工機に附設したクーラントタンクに直接混合液を補充しょうとするケースが多く、供給口から飛散しないように穏やかにクーラント混合液をタンクに供給することが望まれる。そのために、図１のように、混合液が中間開口部を通過した後、徐々に通路を拡大し、大気側の大開口部に混合液を導きいれて流速を落とす必要があった。
いずれの混合器も特許文献２のように原液の吸い上げ量を調整弁で行っている場合が殆どである。また、これらの調整弁としてニードルバルブやボールバルブが使用されているが、内径側がオリフィスやボール穴で通路が制限されている。このため、原液の吸い上げの抵抗が大きくなり、吸い上げ量が制限される。
こうしたことから、主液と原液の濃度の幅が大きく取れない。特に、低濃度の調整は行えるが、高濃度に調整するのが困難となる。
【０００４】
そのため、このような大気開放型の混合器では広範囲の濃度調整が可能な調整機能付き混合器が望まれている。
【先行技術文献】
【特許文献】
【０００５】
【特許文献１】特許公開２００２−２７３６４０
【特許文献２】登録実用新案第３１７４３７９号
【発明の概要】
【発明が解決しようとする課題】
【０００６】
そのためには、調整バルブにニードルバルブやボールバルブといった通路が制限される既存バルブを使用しないことである。その代わりに、混合器の流路面積の大きい主液通路と混合液通路の間で、原液の流量を直接、調整する機能を混合器内に設けることである。
【０００７】
図２の混合器において、主通路上にあるノズルの出口端からフランジ部材の入り口端の間隔Ｃを適時変化させることで原液の汲み上げ量を調整する構成とする。
【課題を解決するための手段】
【０００８】
上記課題を達成するために、二ップル部材９に勘合するフランジ部材８がシール端面８aを有しそして、前記二ップル部材に形成されたネジ９bにより、自身の回転に伴い、前記シール端面８aも軸方向に移動する構成となっている。つまり、該シール端面８aと絞り管７の相手シール端面７aの間隔Ｃが変化する。
該間隔Ｃにより、絞り管７の外周に形成された負圧室１２の負圧の程度および間隔Ｃへ流入する原液の量を可変に制御することになる。間隔Ｃがゼロの場合は、原液１６は吸い上げられず、間隔Ｃが全開の場合は、最大の原液流量が流入することとなる。
【発明の効果】
【０００９】
主通路上にある間隔Ｃを直接変化させることで、極端に主液および原液の流路が絞られることがないため、汲み上げられる原液の量を大幅に変化させることが可能となり、広範囲の濃度調整ができる。
混合器の二ップル部材９、フランジ部材８のシール端面８aおよび、絞り管７のシール端面７a等、混合器の部品がそれぞれ、重複した機能を有することでシンプルな構造となっている。
噴出口である二ップル部材９の回転だけで濃度調整の操作ができるため、混合液１８の混合状態および色等を見ながらの調整が容易となる。
【図面の簡単な説明】
【００１０】
【図１】図１は従来型エジェクター混合器とニードルバルブを示したものである。
【図２】図２は本発明の実施例を示したものである。
【図３】図３は本発明の他の実施例を示したものである。
【発明を実施するための形態】
【００１１】
大気開放型の二液混合液装置で主液に対する原液の濃度調整範囲が大きく取れる。そして、二ップル部材を手元で回転させ、混合液の状態を見ながら操作することができ、ハンドリングし易い二液混合器が実現できる。
【実施例１】
【００１２】
図１は、従来型エジェクター混合器とニードルバルブの断面を示したものである。１は二液混合器本体を示す。水道水からの高圧の液体は絞り部で高速の流体となり、ベルヌーイの定理により流速に比例して、負圧室の圧力が低下し、大気圧よりも低くなることで、原液を吸い上げるエジェクター効果が出る。負圧室で液は原液と混合し、該混合液は徐々に拡がる開口部に入り、圧力が大気圧まで上がり、放出される構成となっている。そして、原液と混合器の間に位置するニードルバルブは、オリフィスＤの流路を絞ることで原液の吸い上げ量を調整する構成となっている。ボールバルブが用いられることもあるが、微妙な流量調整が困難なためニードルバルブが多く使用されている。
しかしながら、一般流路に比較して、オリフィス径Ｄが小さく、粘度が高い場合は原液の汲み上げの大きな抵抗になる。
【００１３】
図２は本発明の実施例の断面を示したものである。
二液混合器システム全体は、混合器本体１、該混合器1の給水ポート６に高圧液を供給する水道水１７、原液１６および、原液流量調整機構２から構成されている。前記混合器本体１は、高圧液の供給ポート６を有するユニオン部材４そして、該ユニオン部材４に勘合し、径がＡの絞り部５を有する絞り管７から構成される。また、該絞り管７はシール端面７aを有している。中間開口部１１で径Ｂを有するフランジ部材８および、大開口部１０を有する二ップル部材９で構成される。前記フランジ部材８は該二ップル部材９の内径側で軸方向に勘合されており、シール端面８aを有している。更に、前記二ップル部材９の軸方向の延長に、直径方向にピン部材１３が配置された構成となっている。尚且つ、混合器１の本体であるチーズ部材３は前記ユニオン部材４および、前記二ップル部材９がネジで結合された構成となっており、該チーズ部材３の内壁側には、前記絞り管７の外周と前記フランジ管８の端面で負圧室１２が形成されている。
また、原液流量調整機構２は前記二ップル部材９に形成されたネジ９aにより、二ップル部材９の回転によりフランジ部材８およびシール端面８aと一体的に軸方向に移動可能となっている。そして、前記絞り管７に形成された他のシール端面７aとの間隔Ｃを制御する構成となっている。また、混合器の胴体部３にネジ２１でネジ止めされたストッパー部材１９は、ネジ回転により、前記二ップル部材９が不本意に抜けないように該肩部９aで軸方向の移動を止める機能を有する。また、該ストッパー１９は指針１９aが形成されており、前記二ップル部材９の円周側面に打刻されたマーク９ｃにより、該ニップル部材９の回転位置が読み取れる構成となっている。更に、前記、二ップル部材９のネジ９ｂには、回転止め円板２２がネジ勘合し、前記二ップル部材９の回転を固定したい時に、胴体３の端面に硬く接触させて摩擦固定するように構成されている。
【００１４】
図３は他の実施例の断面を示したものである。
図２と大きく異なる点は二ップル部材９に軸方向で勘合するフランジ部材８がテーハ゜空間１１にシール面８aを有し、そして、絞り管７がテーハ゜状のシール面７aを有し、それぞれのシール面が間隔Ｃの範囲で、二ップル部材９のネジ回転で移動する構成となっている。このようにシール面がテーハ゜状であれば、きめ細かな原液の吸い上げ流量の制御が容易になる。
【産業上の利用可能性】
【００１５】
この原液流量調整機構は、高速洗車用やクーラント液希釈装置にも適用が可能で、主液と原液を所定の濃度で混合して、大気に混合液を放出する使用目的に適するものである。
【符号の説明】
【００１６】
１  混合器本体
２  原液流量調整機構
３  胴体
４  ユニオン部材
５  絞り部
７  絞り管
８  フランジ部材
９  二ップル部材
１０大開口部
１１中間開口部
１２負圧室
１３ピン部材
１６原液
【図１】
2014009671.tif 000003
【図２】
2014009671.tif 000004
【図３】
2014009671.tif 000005